(57)【要約】【課題】壁に設置するひねりや左右に回す開閉把手に手を伸ばしての開閉の煩わしさのない、放水口の押し引きで水の出し止めできるカランを提供する。【解決手段】円筒状固定部と円筒状固定部であり嵌入し合う二つの円筒内に円錐台形の弁受と弁体がそれぞれ配置され、それら弁受けと弁体も嵌入し合い、密着状態の閉弁から離間した開弁までの放水量を連続的に調整できるカランであり、放水口を引くと放水され、逆に押し戻せば止水となり、開閉把手のないシンプル構成の、汚れ手で開閉しても清潔に操作できるプッシュ―プル開閉式の円錐台形弁式カランである。【選択図】図２
2016217091.tif 000002
【特許請求の範囲】
【請求項１】
一端がネジ接合部で他端が開口である円筒形固定部に、曲がり先端が放水口で他端が嵌入部分である円筒形可動部が摺動嵌入する構成であり、裾周端近くに通水開口を中心線に対称的に有し、この通水開口近くに設けた輪溝にパッキングを配置した閉頂円錐台筒弁受けを、円筒の開口端から摺動長さ以上の奥に円周接合し一体とし、さらにその開口端近くの一端から、前記弁受けの閉頂面の延展位置に略相当しT字状他端までが摺動長さとなる細巾スリットを設けた前記円筒形固定部に、頂面が通水開口であり、前記弁受けと略同形の貫通円錐台筒弁の裾周を円筒の嵌入開口に円周接合し一体とし、その円周接合線に平行に設けた輪溝に配置したパッキングから摺動往復長さ以上離れた摺動面に、前記細巾スリットを貫通するネジを螺設した円筒形可動部が、摺動嵌入することを特徴とする円錐台弁式カラン。
【請求項２】
前記請求項１に記載の円錐台弁式カランに、その可動部の放水口を切断除去し、切断開口端近くの輪溝にリングパッキングを配置し、固定部と同径の一端をネジ切りした繋ぎ管の他端を前記切断開口端を嵌入連結することを特徴とする円錐台弁式バルブ。
【請求項３】
前記請求項１に記載の円錐台弁式カランの放水口を複数小孔の開いた散水端に換装したことを特徴とするシャワー装置。
【請求項４】
ホース格納部の有無に関わらない長いホースの先に、前記請求項１に記載の円錐台弁式カランを装着し、さらに前記カランの先端に散水端を装着したことを特徴とする散水装置。
【発明の詳細な説明】
【技術分野】
【０００１】
本発明は円錐台弁方式円筒形のカランとバルブに関するものである。
【背景技術】
【０００２】
カランと配管用バブルは各種が実用されているが、開閉方法の改善が要請されている。
【先行技術文献】
【特許文献】
【０００３】
【特許文献１】実開平０５−０４７６９４「管継手のバルブ」
【発明の概要】
【発明が解決しようとする課題】
【０００４】
本発明は、壁際のひねり式開閉部に手を伸ばしてのひねりで開閉するわずらわしさのないカラン及びひねり式開閉部のない配管用バルブを提供することである。
【課題を解決するための手段】
【０００５】
円錐台弁式カランは、一端がネジ接合部で他端が開口である円筒形固定部に、曲がり先端が放水口で他端が嵌入部分である円筒形可動部が摺動嵌入する構成であり、裾周端近くに通水開口を中心線に対称的に有しこの通水開口近くに設けた輪溝にリングパッキングを配置した閉頂円錐台筒弁受けを、円筒の開口端から摺動長さ以上の奥に中心線を共通に円周接合し一体とし、さらにその開口端近くの一端から、他端まで摺動長さでありT字状の他端に至る細巾スリットを設けた前記円筒形固定部に、先端部に通水開口を中心線に対称的に有し、前記弁受けと略同形の貫通円錐台筒弁の裾周と円筒の嵌入開口とを中心線を共通に円周接合し一体とし、その円周接合線に平行に円筒にそのパッキングから摺動往復長さ以上離れた摺動面に、前記細巾スリットを貫通するネジを螺設した円筒形可動部が、摺動嵌入するカランである。
【０００６】
また、円錐台弁式バルブは、前記円錐台弁式カランに、その可動部の放水口を切断除去し、切断開口端近くの輪溝にリングパッキングを配置し、固定部と同じ径の一端をネジ切りした繋ぎ管の他端を前記切断開口端を嵌入連結するバルブである。
また、円錐台弁式シャワー装置は、前記円錐台弁式カラン１の放水口を複数小孔の開いた散水端に換装したシャワー装置である。
また、円錐台弁式散水装置な長いホースの先に前記円錐台弁式カラン１を装着した、さらに前記カランに散水端を換装した、ホース格納部の有無に関わらない散水装置である。
【発明の効果】
【０００７】
本発明の円錐台弁式カランは、先端の放水口を押し引きする手の動きの短く迅速、かつ手が汚れていてもカランを汚さず、開閉できる。
また、円錐台弁式バルブは、双方向流れ対応の低圧流体用の手動の円筒型バルブであり、可動部のネジが開閉操作部になり、大きな開閉ハンドルのない操作容易かつ配管省スペースの配管用バルブである。
円錐台弁式シャワー装置は、手元で開閉できる。円錐台弁式散水装置は、水道栓に戻らずに開閉できる。
【図面の簡単な説明】
【０００８】
【図１】円錐台弁式カランの止水閉状態の主要部の立断面概略図である。
【図２】円錐台弁式カランの放水開状態の主要部の立断面概略図である
【図３】円錐台弁式バルブの止水閉状態の主要部の立断面概略図である。
【発明を実施するための形態】
【０００９】
本発明を図１、２、３に基づいて説明する。水に限らず液体の流出の開閉を行う円錐台状弁式カラン１は、例えば一端が水道管に接合するネジ接合部２、他端が開口３であり、内部に閉頂円錐台筒弁受け４を備える円筒形固定部５に、放水口６を一端とし、他端に貫通円錐台筒弁７を内向きに接合した円筒形可動部８が、摺動嵌入接触する構成であり、前記可動部を引き出して放水、押し戻して止水の状態になるカラン１である（図１）。詳しくは、中心線９に対称に通水開口４aを裾端寄りに設け、その通水開口の  閉頂側の輪溝にリングパッキング１０を配置した前記閉頂円錐台筒弁受け４の裾端周を円筒５aの前記開口端３より奥、摺動往復長さ以上、例えば略三倍の位置に中心線９を共通に周回接合し、その開口３近くの一端１１からT字状他端１２までが摺動長さである細巾スリット１３を設け円筒固定部５に、頂面が通水開口７aとなりその裾端周を円筒８aの嵌入開口端に、前記弁受け４と略同形の貫通円錐台筒弁７が周回接合して一体となり、この周回接合線に平行に円筒に設けた輪溝に柔軟弾性の摺動面リングパッキング１４を配置し、またこのパッキングから摺動往復長さ以上離れた摺動面に、前記細巾スリット１３を貫通し、さらにその細巾スリットの一端１１の巾に等しい外径のネジ１５を螺設した円筒可動部８が、摺動嵌入接触するカランである。
【００１０】
なお、二の中空円錐台の弁と弁受けの形状は、中心線に対する傾斜角度が略10〜50度、頂面と裾面つまり底面の直径は弁受けがやや大きく、高さは略等しい。なお、上記の弁受け４と円錐台筒弁７の頂面は水の流れの方向にあるのを順配置構成とするが、その逆配置構成もよく、この場合、前記リングパッキング１０を円錐台筒弁の頂面近くに配置する。なおリングパッキングは一以上とし、異なる材質のパッキングの複数配置もよい。          
【００１１】
以上の構成のカランつまり放水開閉装置の閉状態において、可動部の放水口６を引き始めると、円錐台状弁７と弁受け４の間に生じる円錐台状隙間に弁受け通水開口４aより直ちに流入する水は、頂面通水開口７aより流出する、つまり生じた隙間は前記両通水開口とともに連通流出路を形成し、引き作動はスムーズに進み、前記ネジ１５が前記細巾スリット１３の一端１１に当たり全開放水つまりカランの開状態となり（図２）、これは可動部の移動限界でもある。そして可動部は中心線９周りに細巾スリットの終端のT字分だけ回動し、放水方向も左右へ振り向けられるのである。逆に放水中の放水口６を押し込んでゆくと円錐台弁７の内斜面が円錐台弁受け４の外斜面に接近し、また前記リングパッキング１０にも当接し通水を止め、同時に可動部をその位置に保持するカランの閉状態に戻る。
【００１２】
閉状態における、可動部を押し出す水圧力に対しリングパッキング１０と摺動面リングパッキング１４さらに前記スリット１３の巾の狭い一端１１に前記ネジ１５が挟まることでも対抗する。なおこの閉状態において、弁受け４の通水開口４aからの浸出水は、この弁受け４のリングパッキング１０と摺動面リングパッキング１４によりカラン外部への漏出が止められ、また、開状態において前記スリット１３の他端１２と前記摺動面リングパッキング１４は離れておりスリットからの漏出はない。
また、前記ネジ１５を外せばカランは円筒固定部５と円筒可動部８に分離し、パッキングの交換可能となる。また固定部と水道管の間に回動式制水弁の設置もよい。なおカランの精密加工製作には鋳造、板金製ともレーザーと耐水接着剤の加工がよい。
【００１３】
また、可動部の直径が固定部より大きく固定部が可動部に嵌入するカランもよい。この場合、前記ネジ１５が螺合する固定部円筒からの漏水対応処置を要する。
さらに、前記円錐台スライド式カラン１の可動部の放水口を切断除去し、切断開口端近くの輪溝にリングパッキング２２を配置したバルブ本体部２１に、固定部と同じ径の一端を公的規格を満たすネジ切りした繋ぎ管２３の他端を前記切断開口端に嵌入連結し、その繋ぎ管ネジ部を配管と螺合する円錐台弁スライド式バルブ２０もよい（図３）。このバルブは、双方向流れ対応の低圧流体用の手動式の開閉調整可能のバルブであり、可動部のネジ２５が開閉操作部になり、大きな開閉ハンドルのない操作容易かつ配管省スペースのバルブである。
また、前記円錐状弁式カラン１の放水口を複数小孔の開いた散水端に換装したシャワー装置（図省略）もよい。
また、長いホースの先に前記円錐状弁式カラン１を装着した、ホース格納部の有無に関わらない散水装置や前記散水端に換装した散水装置（図省略）もよい。
【００１４】
なお、別構造のスライド式カランもよく、一端がネジ接合部で他端が開口である円筒形固定部に、曲がり先端が放水口で他端が嵌入開口である円筒形可動部が摺動嵌入する構成であり、開口に細リングを設けた円筒内に固定した有孔支持円板に、先端部に円形ないし長円の通水開口を有する平板スライド弁の一短辺が垂直に連結し、他の短辺が円筒の外に顕在し、円筒開口近くから摺動長さの細巾スリットを設けた前記円筒形固定部に、円筒内径に略等しくその両側辺が内壁に接合され前記同様の通水開口を有する平板スライド弁受けがあり、その両端の上下の半円断面の片方を、前記通水開口を通じて円筒内部空間を連通するように半円板が塞ぎ、嵌入開口端近くに前記細巾スリットを貫通するネジを螺設し、そのネジ近くに設けた輪溝にパッキングを配置し、前記スライド弁受けの開口周囲にもリングパッキングを配置した前記円筒形可動部が、嵌入連結する平板弁スライド式カランである。
【００１５】
また、一端がネジ接合部で他端が開口である円筒形固定部に、曲がり先端が放水口で他端が嵌入開口である円筒形可動部が摺動嵌入する構成であり、開口端近くに通水開口を中心線に対称的に有した円筒スライド弁受けを、その開口端と円筒内面を輪板を介して連結し円筒と中心線を共通にする一体とし、さらにその円筒の前記輪板の近くを一端とするストローク長さの細巾スリットを設けた前記円筒形固定部に、小孔を有する閉端面外側にその小孔を囲むリングパッキングを接合した円筒スライド弁の開口端と円筒の開口端を有孔輪板を介して連結し円筒スライド弁と円筒を中心線を共通に一体とし、前記有孔輪板近くの円筒スライド弁の摺動面に設けた輪溝にリングパッキングを配置し、円筒開口端近くにストップネジを垂直に螺設した前記円筒可動部が、嵌入連結する円筒弁スライド式カランである。    
【符号の説明】
【００１６】
1円錐台弁式カラン、  2ネジ接合部、  3開口、
4閉頂円錐台受け、4a通水開口、  5円筒固定部、  ５a円筒、
６放水口、  ７貫通円錐台弁、７a頂面通水開口、  ８円筒可動部、
９中心線、  １０リングパッキング、  １１一端、  12他端、
13細巾スリット、  14摺動面リングパッキング、  15ネジ
２０円錐台弁式バルブ、  ２１バルブ本体部、
２２リングパッキング、  ２３繋ぎ管、  ２５ネジ
【図１】
2016217091.tif 000003
【図２】
2016217091.tif 000004
【図３】
2016217091.tif 000005
【手続補正書】
【提出日】平成27年12月24日(2015.12.24)
【手続補正１】
【補正対象書類名】明細書
【補正対象項目名】全文
【補正方法】変更
【補正の内容】
【発明の詳細な説明】
【技術分野】
【０００１】
本発明は円錐台弁式円筒形のプッシュ―プル式のカランに関するものである。
【背景技術】
【０００２】
カランは各種が実用されているが、開閉方法の改善が要請されている。
【先行技術文献】
【特許文献】
【０００３】
【特許文献１】実開平０５−０４７６９４「管継手のバルブ」
【発明の概要】
【発明が解決しようとする課題】
【０００４】
本発明は、壁際のひねり式開閉部に手を伸ばしてのひねりで開閉する煩わしさのないカランを提供することである。
【課題を解決するための手段】
【０００５】
円錐台弁形式カランは、一端がネジ接合部で他端が開口であり円錐台形弁受を内包する円筒形固定部に、曲がり先端が放水口で他端が嵌入開口であり同様形状の弁体を内包する円筒形可動部が摺動嵌入する構成であり、斜周面に通水開口を中心線に対称的に有って、これら通水開口の閉頂側にパッキングのある閉頂円錐台筒弁受が、前記円筒固定部とその開口端から摺動行程以上の奥の円周接合で一体となり、さらに該開口端近くのT字状始端から摺動行程の終端までの細巾スリットのある前記円筒形固定部に、頂面が通水開口であり、前記弁受と略同形の貫通円錐台形弁体の裾周が前記嵌入開口で一体となり、かつその円周接合に沿うパッキングのある前記円筒形可動部が、摺動嵌入してから、前記スリットの終端においてそのスリットを貫通するネジが該円筒形可動部に螺着してなるカランである。
【発明の効果】
【０００６】
本発明の円錐台形弁式カランは、導水部先端の放水口を押し引きする手の動きの短く迅速、かつ手が汚れていてもカランを汚さず開閉でき、清潔感が高い。
【図面の簡単な説明】
【０００７】
【図１】円錐台形弁式カランの止水閉状態の立断面概略図である。
【図２】円錐台形弁式カランの放水開状態の立断面概略図である
【発明を実施するための形態】
【０００８】
本発明を図１、２に基づいて説明する。水に限らず液体の流出の開閉を行う円錐台形弁式カラン１は、例えば一端が水道管に接合するネジ接合部２他端が開口端３であり、内部に閉頂円錐台形弁受４を備える円筒形固定部５に、放水口６を一端とし他端に貫通円錐台形弁体７を内向きに接合した円筒形可動部８が、摺動嵌入接触する構成であり、その可動部８を引き出して放水、押し戻して止水の状態になるカラン１である（図１）。
【０００９】
詳しくは、中心線９周りに対称に複数同形の通水開口４aを円錐台形斜面に設け、その通水開口の閉頂側の輪溝（以下図示省略）にリングパッキング１０を配置した前記閉頂円錐台形弁受４の裾端周を、円筒５aの前記開口端３より奥の摺動往復行程以上、例えば略三倍までの位置に中心線９を共通に全周接合し、その開口端３近くのT字状の始端１１から終端１２までが摺動行程である細巾スリット１３を設けた前記円筒固定部５に、一端の頂面が通水開口７aであり他端周が円開口であり、前記弁受４と略同形で斜面に通水開口のない貫通円錐台形弁体７が円筒８aの嵌入開口端に同軸全周接合して一体となり、かつこの全周接合に沿う前記円筒外周に設けた輪溝に柔軟弾性リングパッキング１４を配置した前記円筒可動部８が、摺動嵌入接触後に、前記細巾スリット１３の終端１２で貫通しそのスリットの巾に等しい外径のネジ１５つまりノブを前記円筒可動部の円筒８aに螺設してなるカランである。
【００１０】
なお、中空円錐台形の弁体７と弁受４の形状は、中心線に対する傾斜角度が略10〜50度、頂面と裾面つまり底面の直径は弁受がやや大きく、高さは略等しい。また、上記の弁受４と円錐台形弁体7の頂面は水の下流側にあるのを順配置構成とするが、その逆配置つまり頂面が上流側になる構成もよい。なお各リングパッキングは一以上とし、異なる材質のパッキングの複数配置もよい。          
【００１１】
以上の構成のカランつまり放水開閉装置の閉状態において、可動部の放水口６をプルつまり引き始めると、円錐台形弁体７と弁受４の間に生じる円錐台状隙間に弁受の通水開口４aより直ちに流入する水は、頂面通水開口７aより流出する、つまり生じた隙間は前記両通水開口とともに連通流出路を形成し、引き作動はスムーズに進み、前記ネジ１５が前記細巾スリット１３の始端１１に当たり全開放水つまりカランの開状態となり（図２）、これは可動部の移動限界でもある。そして可動部は中心線９周りに細巾スリットのT字状始端の周方向の両延伸だけ回動し、放水方向も左右へ振り向けられるのである。逆に放水中の放水口６をプッシュつまり押し込んでゆくと円錐台形弁体７の内斜面が円錐台形弁受４の外斜面に接近し、また前記リングパッキング１０にも当接し通水を止め、同時に可動部をその位置に保持するカランの閉状態に戻る。
【００１２】
閉状態（図１）における、可動部を押し出す水圧力に対しリングパッキング１０と摺動面リングパッキング１４さらに前記スリット１３の巾の狭い終端１２に前記ネジ１５が挟まることでも対抗する。なおこの閉状態において、弁受４の通水開口４aからの浸出水は、この弁受４のリングパッキング１０と摺動面リングパッキング１４によりカラン外部への漏出が止められ、また、開状態（図２）において前記スリット１３の終端１２と前記摺動面リングパッキング１４は離れておりスリットからの漏出はない。
また、前記ネジ１５を外せばカランは円筒固定部５と円筒可動部８に分離し、パッキングの交換可能となる。なおカランの精密加工製作には鋳造、板金製ともレーザー溶接と耐水接着剤の加工がよい。
【符号の説明】
【００１３】
1円錐台形弁式カラン、  2ネジ接合部、  3開口端、
４閉頂円錐台形受、  4a通水開口、  5円筒固定部、  ５a円筒、
６放水口、  ７貫通円錐台形弁体、７a頂面通水開口、  ８円筒可動部、
８a円筒    ９中心線、  １０リングパッキング、  １１始端、  １２終端、
１３細巾スリット、  １４摺動面リングパッキング、  １５ネジ、ノブ
【手続補正２】
【補正対象書類名】特許請求の範囲
【補正対象項目名】全文
【補正方法】変更
【補正の内容】
【特許請求の範囲】
【請求項１】
一端がネジ接合部で他端が開口端であり円錐台形弁受を内包する円筒形固定部に、曲がり先端が放水口で他端が嵌入開口であって、同様形状の弁体を内包する円筒形可動部が摺動嵌入する構成であり、斜周面に通水開口を中心線に対称的にあって、これら通水開口の閉頂側にパッキングのある閉頂円錐台形弁受が前記円筒形固定部の開口端から摺動行程以上の奥で円周固着し、かつその開口端近くのT字状始端から摺動行程の終端までの細巾スリットのある前記円筒形固定部に、頂面が通水開口であり前記弁受と略同形の貫通円錐台形弁体の裾周が前記円筒形可動部の嵌入開口に固着しかつその円周固着に沿うパッキングのある前記円筒形可動部が、摺動嵌入接触した状態で、前記スリットの終端において該スリットを貫通するネジが該円筒形可動部に螺着していることを特徴とする円錐台形弁式カラン。
【手続補正３】
【補正対象書類名】図面
【補正対象項目名】図１
【補正方法】変更
【補正の内容】
【図１】
2016217091.tif 000006
【手続補正４】
【補正対象書類名】図面
【補正対象項目名】図２
【補正方法】変更
【補正の内容】
【図２】
2016217091.tif 000007
【手続補正５】
【補正対象書類名】図面
【補正対象項目名】図３
【補正方法】削除
【補正の内容】
【手続補正書】
【提出日】平成28年4月28日(2016.4.28)
【手続補正１】
【補正対象書類名】明細書
【補正対象項目名】全文
【補正方法】変更
【補正の内容】
【発明の詳細な説明】
【技術分野】
【０００１】
本発明は円錐台弁式円筒形のプッシュ―プル式のカランに関するものである。
【背景技術】
【０００２】
カランは各種が実用されているが、開閉方法の改善が要請されている。
【先行技術文献】
【特許文献】
【０００３】
【特許文献１】実開平０５−０４７６９４「管継手のバルブ」
【発明の概要】
【発明が解決しようとする課題】
【０００４】
本発明は、壁際のひねり式開閉部に手を伸ばしてのひねりで開閉する煩わしさのないカランを提供することである。
【課題を解決するための手段】
【０００５】
円錐台弁形式カランは、一端がネジ接合部で他端が開口端であり閉頂円錐台形弁受を内包する円筒形固定部に、曲がり先端が放水口で他端が嵌入開口であって、頂面が通水開口である前記円錐台形弁受と同様形状の貫通円錐台形弁体を内包する円筒形可動部が摺動嵌入する構成であり、斜周面に通水開口が中心線に対称的に設けられており、これら通水開口の閉頂側にパッキングのある前記閉頂円錐台形弁受が前記円筒形固定部の開口端から摺動行程以上の奥で円周固着し、かつその開口端近くのT字状始端から摺動行程の終端までの細巾スリットのある前記円筒形固定部に、前記貫通円錐台形弁体の裾周が前記円筒形可動部の嵌入開口に固着しかつその円周固着に沿うパッキングのある前記円筒形可動部が、摺動嵌入接触した状態で、前記スリットの終端において該スリットを貫通するネジが該円筒形可動部に螺着しているカランである。
【発明の効果】
【０００６】
本発明の円錐台形弁式カランは、導水部先端の放水口を押し引きする手の動きの短く迅速、かつ手が汚れていてもカランを汚さず開閉でき、清潔感が高い。
【図面の簡単な説明】
【０００７】
【図１】円錐台形弁式カランの止水閉状態の立断面概略図である。
【図２】円錐台形弁式カランの放水開状態の立断面概略図である
【発明を実施するための形態】
【０００８】
本発明を図１、２に基づいて説明する。水に限らず液体の流出の開閉を行う円錐台形弁式カラン１は、例えば一端が水道管に接合するネジ接合部２他端が開口端３であり、内部に閉頂円錐台形弁受４を備える円筒形固定部５に、放水口６を一端とし他端に貫通円錐台形弁体７を内向きに接合した円筒形可動部８が、摺動嵌入接触する構成であり、その可動部８を引き出して放水、押し戻して止水の状態になるカラン１である（図１）。
【０００９】
詳しくは、中心線９に対称に図1に二個は表示してある通水開口４aを円錐台形斜面に設け、その通水開口の閉頂側の輪溝（以下図示略）にリングパッキング１０を配置した前記閉頂円錐台形弁受４の裾端周を、円筒５aの前記開口端３より奥の摺動往復行程以上、例えば略三倍までの位置に中心線９を共通に全周接合し、その開口端３近くのT字状の始端１１から終端１２までが摺動行程である細巾スリット１３を設けた前記円筒固定部５に、一端の頂面が通水開口７aであり他端周が円開口であり、前記弁受４と略同形で斜面に通水開口のない貫通円錐台形弁体７が円筒８aの嵌入開口端に同軸全周接合して一体となり、かつこの全周接合に沿う前記円筒外周に設けた輪溝に柔軟弾性リングパッキング１４を配置した前記円筒可動部８が、摺動嵌入接触後に、前記細巾スリット１３の終端１２で貫通しそのスリットの巾に等しい外径のネジ１５を前記円筒可動部の円筒８aに螺設してなるカランである。
【００１０】
なお、中空円錐台形の弁体７と弁受４の形状は、中心線に対する傾斜角度が略10〜50度、頂面と裾面つまり底面の直径は弁受がやや大きく、高さは略等しい。また、上記の弁受４と円錐台形弁体7の頂面は水の下流側にあるのを順配置構成とするが、その逆配置つまり頂面が上流側になる構成もよい。なお各リングパッキングは一以上とし、異なる材質のパッキングの複数配置もよい。          
【００１１】
以上の構成のカランつまり放水開閉装置の閉状態において、可動部の放水口６をプルつまり引き始めると、円錐台形弁体７と弁受４の間に生じる円錐台状隙間に弁受の通水開口４aより直ちに流入する水は、頂面通水開口７aより流出する、つまり生じた隙間は前記両通水開口とともに連通流出路を形成し、引き作動はスムーズに進み、前記ネジ１５が前記細巾スリット１３の始端１１に当たり全開放水つまりカランの開状態となり（図２）、これは可動部の移動限界でもある。そして可動部は中心線９周りに細巾スリットのT字状始端の周方向の両延伸だけ回動し、放水方向も左右へ振り向けられるのである。逆に放水中の放水口６をプッシュつまり押し込んでゆくと円錐台形弁体７の内斜面が円錐台形弁受４の外斜面に接近し、また前記リングパッキング１０にも当接し通水を止め、同時に可動部をその位置に保持するカランの閉状態に戻る。
【００１２】
閉状態（図１）における、可動部を押し出す水圧力に対しリングパッキング１０と摺動面リングパッキング１４さらに前記スリット１３の巾の狭い終端１２に前記ネジ１５が挟まることでも対抗する。なおこの閉状態において、弁受４の通水開口４aからの浸出水は、この弁受４のリングパッキング１０と摺動面リングパッキング１４によりカラン外部への漏出が止められ、また、開状態（図２）において前記スリット１３の終端１２と前記摺動面リングパッキング１４は離れておりスリットからの漏出はない。
また、前記ネジ１５を外せばカランは円筒固定部５と円筒可動部８に分離し、パッキングの交換可能となる。なおカランの精密加工製作には鋳造、板金製ともレーザーと耐水接着剤の加工がよい。
【符号の説明】
【００１３】
1円錐台形弁式カラン、  2ネジ接合部、  3開口端、
４閉頂円錐台形受、  4a通水開口、  5円筒固定部、  ５a円筒、
６放水口、  ７貫通円錐台形弁体、７a頂面通水開口、  ８円筒可動部、
８a円筒    ９中心線、  １０リングパッキング、  １１始端、  １２終端、
１３細巾スリット、  １４摺動面リングパッキング、  １５ネジ、
【手続補正２】
【補正対象書類名】特許請求の範囲
【補正対象項目名】全文
【補正方法】変更
【補正の内容】
【特許請求の範囲】
【請求項１】
一端がネジ接合部で他端が開口端であり、閉頂円錐台形弁受を内包する円筒形固定部に、曲がり先端が放水口で他端が嵌入開口であって、頂面が通水開口であり、前記閉頂円錐台形弁受と同様形状の貫通円錐台形弁体を内包する円筒形可動部が摺動嵌入する構成であり、斜周面に通水開口が中心線に対称的に設けられており、これら通水開口の閉頂側にパッキングのある前記閉頂円錐台形弁受が前記円筒形固定部の開口端から摺動行程以上の奥で円周固着し、かつその開口端近くのT字状始端から摺動行程の終端までの細巾スリットのある前記円筒形固定部に、前記貫通円錐台形弁体の裾周が前記円筒形可動部の嵌入開口に固着し、かつその円周固着に沿うパッキングのある前記円筒形可動部が、摺動嵌入接触した状態で、前記スリットの終端において該スリットを貫通するネジが該円筒形可動部に螺着していることを特徴とする円錐台形弁式カラン。